(57)【特許請求の範囲】
【請求項１】
ピストン部を内装した複数の汚水受部と、該汚水受部を固定するコンベアーと、該コンベアーの内側に配置された、第一湾曲部及び第二湾曲部を有するガイドレールと、前記第一湾曲部の上部に配置された浄化剤投入装置及び汚水投入装置と、前記第二湾曲部の下部に配置された汚物受部及び浄化水受部とで構成されていることを特徴とする汚水浄化装置。
【請求項２】
前記ピストン部は、第一湾曲部及び第二湾曲部の通過時に汚水受部内を摺動する請求項１記載の汚水浄化装置。
【請求項３】
前記汚水投入装置は、汚水投入時に汚水受部の一側面に位置するように配置された請求項１または２記載の汚水浄化装置。
【請求項４】
前記汚物受部の上部にクリーナーを設けた請求項１、２または３記載の汚水浄化装置。
【請求項５】
本発明の汚水浄化装置をトラック車両の荷台に内設した置請求項１、２、３または４記載の汚水浄化装置。
【発明の詳細な説明】
【０００１】
【発明の属する技術分野】
本発明は、河川の水や工場から廃棄される汚水、また一般家庭から廃棄される生活排水等のさまざまな汚水を、容易に、且つ確実に浄化することができる汚水浄化装置に関する。
【０００２】
【従来の技術】
近日、地球環境問題が世界的課題となる中で、水質汚濁や大気汚染、また産業廃棄物処理等の問題が各国で検討されている。特に、水質汚濁に於ては、工場や一般家庭から廃棄される汚水が、河川や海洋の水質を汚濁する一番の原因とされている。そのため、国が排水に一律の基準を設け、河川等の水質改善に努めている。
【０００３】
従来より、工場の汚水処理においては、排水箇所に複数の濾過装置を施け、電気的若しくは化学的な処理手段を介在させて、廃棄汚水を多段階に浄化処理していた。
【０００４】
また、一般家庭においても、排水口にネット等を設けたり、環境に悪影響を与えない洗剤を使用するといった水質改善の方法が為されている。
【０００５】
【発明が解決しようとする課題】
しかし、工場の汚水処理方法は、多大な設備投資が必要であると共に、それを稼働させるためにも膨大な費用を要する。また、稼働中の騒音や、汚水処理に使用した薬品の廃棄処分の問題も併発してしまう。更に、汚水処理に費やすコストが、製品の価格に上乗せされてしまうという問題も生じる。
【０００６】
また、一般家庭の排水口にネット等を設けたり、環境に悪影響を与えない洗剤を使用する方法においても、効果的な水質改善は望めなかった。
【０００７】
本発明は上記の点に鑑み、低コストで製造及び稼働ができると共に、容易に、且つ確実に汚水を浄化することができる汚水浄化装置を提供することを目的とする。
【０００８】
【課題を解決するための手段】
上記目的を達成するために、本発明の汚水浄化装置は、ピストン部を内装した複数の汚水受部と、該汚水受部を固定するコンベアーと、該コンベアーの内側に配置された、第一湾曲部及び第二湾曲部を有するガイドレールと、前記第一湾曲部の上部に配置された浄化剤投入装置及び汚水投入装置と、前記第二湾曲部の下部に配置された汚物受部及び浄化水受部とで構成されている。
【０００９】
また、前記ピストン部は、第一湾曲部及び第二湾曲部の通過時に汚水受部内を摺動する構造である。
【００１０】
上記構成により、第一湾曲部で浄化剤及び汚水を投入し、コンベアーを一定速度で回転させながら、汚水受部内の汚物と浄化水とを分離させ、第二湾曲部で浄化水を浄化水受部に、汚物を汚物受部に溜め込むことができる。
【００１１】
さらに、前記汚水投入装置は、汚水投入時に汚水受部の一側面に位置するように配置されているので、汚水受部内で浄化剤と汚水が効果的に混合される。
【００１２】
さらに、前記汚物受部の上部にクリーナーを設ければ、クリーナーを通過した汚水受部は自動的に洗浄される。
【００１３】
さらに、本発明の汚水浄化装置をトラック車両の荷台に内設すれば、公衆施設や屋外キャンプ場、また沼地や湖に自在に設置することができるので、環境問題である水質汚濁の防止に幅広く貢献できる。
【００１４】
【発明の実施の形態】
次に、本発明の実施例を図１乃至図７に基づいて説明する。なお、図１は本発明の汚水浄化装置の全体斜視図、図２は汚水浄化装置の側面の断面図、図３または図４は本発明の汚水浄化装置の部分断面図、図５乃至図７は本発明の汚水浄化装置の他の実施例をそれぞれ表す。
【００１５】
本発明の汚水浄化装置は、ピストン部１０を内装した複数の汚水受部１と、コンベアー２０と、該コンベアー２０の内側に配置されたガイドレール３０と、浄化剤投入装置４０と、汚水投入装置４２と、汚物受部５０及び浄化水受部５１とで構成されている。
【００１６】
前記汚水受部１は、上部開口部３を有する筒体部２と、該開口部３の周縁に設けられた矩形状の縁部４と、該縁部４の少なくとも１辺に設置された排水口５とで構成されている。かかる汚水受部１の底部は、後述のコンベアー２０のベルト２１に夫々固定されている。また、前記汚水受部１の内部には、ピストン部１０が摺動自在に内装されている。
【００１７】
前記ピストン部１０は、筒体部２内を自在に摺動するクロスヘッド１１と、コンベアー２０のベルト２１内を自在に摺動するコネクティングロッド１２とで構成されている。該コネクティングロッド１２の一端は、クロスヘッド１１に固定されており、他端はローラ１３を介在しガイドレール３０に装着されている。
【００１８】
前記コンベアー２０は、単体からなるベルト２１が連結材２２により複数連結されており、各々のベルト２１には、前記汚水受部１が固定されている。また、前記コンベアー２０は、モータ２４、駆動ベルト２５、歯車２６等で構成されているの駆動装置２７により、一定速度で連続回転する。なお、ベルト２１の一側面には、前記歯車２６の凸部と咬合する凹部２３が設けられている。
【００１９】
ガイドレール３０は、前記コンベアー２０の内側に配置されており、コネクティングロッド１２の一端に設置されているローラ１３を保持している。前記ガイドレール３０の下面側は、コンベアー２０と平行に延設されているが、上面側には、第一湾曲部３１と第二湾曲部３１′が設けられている。なお、第一湾曲部３１と第二湾曲部３１′は、前記クロスヘッド１１を筒体部２内に自在に摺動させ、ピストン運動を実現させる役割をする。
【００２０】
浄化剤投入装置４０は、汚水受部１の上部であって、第一湾曲部３１の上部に設置されている。前記浄化剤投入装置４０には薬品ノズル４１が設置されており、一定間隔で汚水受部１に適宜量の浄化剤Ｐを投入するものである。
【００２１】
本発明の汚水浄化装置で使用する浄化剤Ｐは、硫酸カルシウムと粉末状にした貝殻を主成分とし、各種浄化剤を混入して形成されている。かかる浄化剤Ｐを汚水と混合すると、浄化剤が汚水中の汚物を互いに結合させる。そしてしばらく放置しておくと、汚物と清水とが分離され、結合した汚物は沈殿物Ｑとして底部に溜り、上部には浄化された浄化水Ｒが残される。
【００２２】
汚水投入装置４２は、第一湾曲部３１の上部であって、前記浄化剤投入装置４０の後方に配置されている。また、前記汚水投入装置４２の汚水ノズル４３は、汚水投入時、汚水受部１の一側面に位置するように配置されている。なお、前記汚水投入装置４２は、一定間隔で汚水受部１に適宜量の汚水を投入するように構成されている。
【００２３】
前記第二湾曲部３１′の下部には、汚物受部５０及び浄化水受部５１とが設置されている。また、汚物受部５０の上部には、汚水受部１とクロスヘッド１１に付着した沈殿物Ｑを取り除くクリーナー５２が設置されている。
【００２４】
次に、本発明の汚水浄化装置の使用方法を及び作用動作を説明する。
【００２５】
駆動装置２７を始動させ、コンベアー２０を一定速度で回転させる。図３に示すように、コンベアー２０と共に汚水受部１が第一湾曲部３１に到達すると、ピストン部１０のローラ１３が下降をはじめる。汚水受部１がＡ地点からＢ地点に移行すると、ローラ１３がａ幅下降する。すると、コネクティングロッド１２と共に、クロスヘッド１１も筒体部２内を摺動しａ幅下降する。
【００２６】
同様に、汚水受部１がＢ地点からＣ地点に移行すると、ローラ１３がｂ幅下降し、コネクティングロッド１２と共にクロスヘッド１１も筒体部２内をｂ幅下降する。この時点で、浄化剤投入装置４０の薬品ノズル４１から浄化剤Ｐが投入される。
【００２７】
浄化剤Ｐが投入された後、汚水受部１がＣ地点からＤ地点に移行すると、ローラ１３が更にｃ幅下降し、コネクティングロッド１２と共にクロスヘッド１１も筒体部内をｃ幅下降する。
【００２８】
汚水受部１がＤ地点に移行すると、クロスヘッド１１は筒体部２の底面に到達する。Ｄ地点以降のガイドレール３０は、コンベアー２０と平行に延設されているので、前述の状態を保ちながら矢印方向に移行しＥ地点に到達する。汚水受部１がＥ地点に到達すると、汚水ノズル４３が汚水受部１に適宜量の汚水を投入する。この時、前記汚水ノズル４３は、汚水受部１の一側面に位置するように配置されているので、汚水受部１内で汚水と浄化剤Ｐとが効果的に攪拌される。
【００２９】
前記の状態で汚水受部１が移行を続け、第二湾曲部３１′に接近するころになると、汚水受部１内の汚水が沈殿物Ｑと浄化水Ｒとに分離される。
【００３０】
図４に示すように、汚水受部１がさらに移行を続け、第二湾曲部３１′の湾曲始動部ＦからＧ地点に移行すると、ローラ１３がｆ幅上昇する。すると、クロスヘッド１１も筒体部２内を摺動しｆ幅上昇する。この時、筒体部２内の浄化水Ｒは、排水口５から排水されて浄化水受部５１に流れ込む。
【００３１】
同様に、汚水受部１がＧからＨ地点に移行すると、ローラ１３がｇ幅上昇し、クロスヘッド１１も筒体部２内を摺動しｇ幅上昇する。筒体部２内の浄化水Ｒはさらに排水口５から排水され、浄化水受部５１に流れ続ける。
【００３２】
汚水受部１がＩ地点に移行すると、クロスヘッド１１の上面は筒体部２の開口部３に到達する。この時点で汚水受部１内の浄化水Ｒは、排水口５からすべて排出され、クロスヘッド１１の上面には沈殿物Ｑのみが残される。
【００３３】
さらに移行を続けると、汚水受部１がガイドレール３０の湾曲に沿って傾斜を始める。傾斜を始めると、クロスヘッド１１の上面の沈殿物Ｑは滑り落ち、汚物受部５０内に落とし込まれる。なお、汚物受部５０の上部には、汚水受部１とクロスヘッド１１に付着した汚物を取り除くクリーナー５２が設置されているので、クリーナー５２を通過した汚水受部１は自動的に洗浄される。
【００３４】
前記一連の工程を繰り返すことにより、汚水ノズル４３より投入された汚水を、迅速に、且つ確実に沈殿物Ｑと浄化水Ｒとに分離することができる。
【００３５】
次に、本発明の汚水浄化装置の他の実施例を図面に基づき説明する。
【００３６】
図５は、後方に荷台が設置されているトラック６０の内部に、本発明の汚水浄化装置を内設した状態を表す。前記トラック６０の荷台の屋根より、ホース６１にて汚水を吸入し、汚水浄化装置に汚水を投入する。一連の工程を経て、排水管６２から浄化水Ｒを排出する。トラック６０に汚水浄化装置を設置することにより、汚水が発生する公衆施設や屋外キャンプ場、また、機械の設置が困難な沼地や湖の汚水を浄化処理できる。
【００３７】
また、図６に示すように、工業汚水が多量に廃棄される金属塗装工場や染色工場等に、本発明の汚水浄化装置を設置すれば、多大な設備投資を必要とせず、容易に汚水処理を行うことができる。
【００３８】
更に、図７に示すように、一般河川に本発明の汚水浄化装置を設置すれば、河川の水質向上を実現することができる。なお、水量の多い河川においては、複数の汚水浄化装置を設置することが好ましい。
【００３９】
【発明の効果】
以上説明してきたように、本発明の汚水浄化装置は、上述の構成とすることで、以下に示す効果を奏するものである。
【００４０】
ピストン部を内装した複数の汚水受部と、該汚水受部を固定するコンベアーと、該コンベアーの内側に配置された、第一湾曲部及び第二湾曲部を有するガイドレールと、前記第一湾曲部の上部に配置された浄化剤投入装置及び汚水投入装置と、前記第二湾曲部の下部に配置された汚物受部及び浄化水受部とで構成されているので、第一湾曲部で浄化剤及び汚水を投入し、コンベアーを一定速度で回転させながら、汚水受部内の汚物と浄化水とを分離させることができる。また、第二湾曲部で浄化水を浄化水受部に、汚物を汚物受部に溜めることができる。そのため、製造及び稼働が低コストで実現できると共に、容易に、且つ確実に汚水を浄化することができる。
【００４１】
また、汚水投入装置を、汚水投入時に汚水受部の一側面に位置するように配置すれば、汚水受部内で浄化剤と汚水が効果的に混合される。さらに、前記汚物受部の上部にクリーナーを設ければ、クリーナーを通過した汚水受部は自動的に洗浄される。
【００４２】
またさらに、本発明の汚水浄化装置をトラック車両の荷台に内設すれば、公衆施設や屋外キャンプ場、また沼地や湖に自在に設置することができるので、環境問題である水質汚濁の防止に貢献できる。
【図面の簡単な説明】
【図１】本発明の汚水浄化装置の全体斜視図を表す。
【図２】本発明の汚水浄化装置の側面の断面図を表す。
【図３】本発明の汚水浄化装置の部分断面図を表す。
【図４】本発明の汚水浄化装置の部分断面図を表す。
【図５】本発明の汚水浄化装置の他の実施例を表す。
【図６】本発明の汚水浄化装置の他の実施例を表す。
【図７】本発明の汚水浄化装置の他の実施例を表す。
【符号の説明】
１    汚水受部
２    筒体部
３    開口部
４    縁部
５    排水口
１０  ピストン部
１１  クロスヘッド
１２  コネクティングロッド
１３  ローラ
２０  コンベアー
２１  ベルト
２２  連結材
２３  凹部
２４  モータ
２５  駆動ベルト
２６  歯車
２７  駆動装置
３０  ガイドレール
３１  第一湾曲部
３１′  第二湾曲部
４０  浄化剤投入装置
４１  薬品ノズル
４２  汚水投入装置
４３  汚水ノズル
５０  浄化水受部
５１  汚物受部
５２  クリーナー
６０  トラック
６１  ホース
６２  排水管
Ｐ  浄化剤
Ｑ  沈殿物
Ｒ  浄化水
【図１】
0003831860.tif 000002
【図２】
0003831860.tif 000003
【図３】
0003831860.tif 000004
【図４】
0003831860.tif 000005
【図５】
0003831860.tif 000006
【図６】
0003831860.tif 000007
【図７】
0003831860.tif 000008